(57)【要約】【課題】アース線を確実に固定でき、かつ成形加工が容易な取付け部材を用いたＣＡＴＶ用保安器を提供すること。【解決手段】取付け部材により壁面に取付けられるベースの一面に、高周波ケーブル用の入力端子および出力端子の接栓が設けられ、前記ベースの他面に前記入力端子、出力端子間に配される回路が設けられ、かつ前記ベースの他面上に設置された前記回路を収容するように蓋が設けられてなるＣＡＴＶ用保安器において、ねじ穴１ｂと、このねじ穴の近傍に設けられた長穴１ｃとを有し、前記ねじ穴および前記長穴の設けられた部分が前記壁面から浮いた状態で前記壁面に取付けられる取付け部材１と、中央にねじを貫通させる穴４が設けられ前記取付け部材に平行配置される平板部、および前記長穴に差し込まれる端部を有する端子部材５と、前記端子部材を前記取付け部材に固定するためのねじ５ｂと、をそなえることを特徴とするＣＡＴＶ用保安器。【選択図】　図１
0003099018.tif 000002
【実用新案登録請求の範囲】
【請求項１】
取付け部材により壁面に取付けられるベースの一面に、高周波ケーブル用の入力端子および出力端子の接栓が設けられ、前記ベースの他面に前記入力端子、出力端子間に配される回路が設けられ、かつ前記ベースの他面上に設置された前記回路を収容するように蓋が設けられてなるＣＡＴＶ用保安器において、
ねじ穴と、このねじ穴の近傍に設けられた長穴とを有し、前記ねじ穴および前記長穴の設けられた部分が前記壁面から浮いた状態で前記壁面に取付けられる取付け部材と、
中央にねじを貫通させる穴が設けられ前記取付け部材に平行配置される平板部、および前記長穴に差し込まれる端部を有する端子部材と、
前記端子部材を前記取付け部材に固定するためのねじと、
をそなえることを特徴とするＣＡＴＶ用保安器。
【請求項２】
請求項１記載のＣＡＴＶ用保安器において、
前記端子部材の前記端部は、前記取付け部材に固定されるものと、前記取付け部材との間にアース線を挟持するものとを有するＣＡＴＶ用保安器。
【請求項３】
請求項２記載のＣＡＴＶ用保安器において、
前記取付け部材における前記端子部材の端部と当接する部分には、突出部が設けられているＣＡＴＶ用保安器。
【考案の詳細な説明】
【０００１】
【考案が属する技術分野】
本考案は、ＣＡＴＶ用機器に係り、とくに雷撃等からＣＡＴＶ用機器を保護するための保安器に関する。
【０００２】
【従来の技術】
従来のＣＡＴＶ用保安器は、例えば図６、図７に示すような構造となっている。このうち図６のものは、取付け部材１１により壁面に取付けられて使用されるもので、蓋１２の内部空間には回路が設けられており、取付け時の下面に入力および出力の各ケーブル接栓１３，１４ａ，１４ｂが設けられており、また取付け部材１１にはアース端子１５が設けられている。
【０００３】
この場合、アース端子を構成するために、ボス１５に線を通すための穴を明けて、この穴にアース線を通してボス頂部から差し込んだねじの先端により固定している。
【０００４】
また、図７のものは、プラスチック製の取付け部材２１における壁面取付け部に一対の壁部２２を形成して、この両壁部２２間に矩形ワッシャ２３を配し、矩形ワッシャ２３をねじ締めすることにより、アース線を固定するようにしている。
【０００５】
【考案が解決しようとする課題】
しかしながら、図６、図７の保安器は、何れも次のような問題がある。まず図６のものは、アース線をねじ止めしているが、このねじ止め部分が接触不良の原因になり易い。また、アース線を２本挿入する場合、穴の大きさが適当でないと入らないか確実なねじ止めができない。
【０００６】
また、図７のものは、矩形ワッシャ２３を回転しないように、しかも矩形ワッシャ２３を固定するねじの先端が壁面に当接しないように浮かせるような、特別のプラスチック成形した取付け部材２１を必要とする。
【０００７】
本考案は上述の点を考慮してなされたもので、アース線を確実に固定でき、かつ成形加工が容易な取付け部材を用いたＣＡＴＶ用保安器を提供することを目的とする。
【０００８】
【課題を解決するための手段】
上記目的達成のため、本発明では、
取付け部材により壁面に取付けられるベースの一面に、高周波ケーブル用の入力端子および出力端子の接栓が設けられ、前記ベースの他面に前記入力端子、出力端子間に配される回路が設けられ、かつ前記ベースの他面上に設置された前記回路を収容するように蓋が設けられてなるＣＡＴＶ用保安器において、
ねじ穴と、このねじ穴の近傍に設けられた長穴とを有し、前記ねじ穴および前記長穴の設けられた部分が前記壁面から浮いた状態で前記壁面に取付けられる取付け部材と、
中央にねじを貫通させる穴が設けられ前記取付け部材に平行配置される平板部、および前記長穴に差し込まれる端部を有する端子部材と、
前記端子部材を前記取付け部材に固定するためのねじと、
をそなえることを特徴とするＣＡＴＶ用保安器、
である。
【０００９】
【考案の実施の形態】
図１は、本考案の一実施例にアース線を実際に接続している状態の外観を示す斜視図である。この実施例では、図６、図７の場合と異なり、入力接栓３および出力接栓４が１つずつの構成となっている。
【００１０】
この実施例において、取付け部材１は、金属板の曲げ成形により構成されており、入力端子接栓３、出力端子接栓４が設けられるベース部分から壁面取付け部まで一体的に構成されている。壁面取付け部は、壁面に対して両端に接触し中央が浮いた形状であり、この中央部にアース端子５が設けられており、アース線６がねじ止めされている。
【００１１】
図２は、図１の状態の直前の状態、つまりアース線６をつなぎ込む直前の状態を示している。このとき、アース端子５はやや浮かせた状態を示したもので、ねじ５ｂが緩められており、差し込み構造のワッシャ５ａが取付け部材１の中央部から少し浮き上がっており、アース線６は取付け部材１とワッシャ５ａとの間に生じた隙間に、アース線６の芯線が差し込まれていく。
【００１２】
図３は、図２の状態からさらに前に戻って、ワッシャ５ａを取付け部材１から抜き取った状態を示している。この図３から分るように、取付け部材１は、両端が壁面当接部１ａとなっており、中央部がクランク状に浮いた構造となっている。この中央部には、中心位置に雌ねじ穴１ｂが明けられ、この雌ねじ穴１ｂを挟んでワッシャ５ａを差し込むための一対の長穴１ｃが設けられている。そして、取付け部材１における、壁面取付け時に雌ねじ穴１ｂの下方になる位置に、一条の突起１ｄが設けられている。
【００１３】
この突起１ｄは、ワッシャ５ａの側辺５ａ’と協働してアース線６の芯線を咥え込み、ねじ５ｂの締め込み圧力により接続を行うものである。このために、突起１ｄは山形の稜線を形成するように、もしくは芯線に食い込み易い断面凸形状に成形されていることが望ましい。
【００１４】
図４は、本考案の実施例を図１の組み立て状態にしたときの、アース線６の固定状態を示す側面図である。アース線６の被覆６ａを除去した芯線６ｂは、取付け部材１の突起１ｄによって図示左方向に押し上げられ、この突起１ｄの位置よりも図示やや上部をワッシャ５ａの側辺部５ａ’により図示右方向に押し付けられている。この結果、芯線６ｂは、部分的にＳ字状に屈曲されて固定されている。
【００１５】
そして、この芯線６ｂを固定する力はねじ５ｂの締め込み力であり、ねじ５ｂを締め込んでワッシャ５ａの側辺５ａ’により芯線６ｂを図示右方向に押し込むことが必要である。そのために、ねじ５ｂの先端（図示右端）は壁面に突き当たることがないように、つまり常に壁面から浮いた状態に保つことが必要である。
【００１６】
図５（ａ），（ｂ）は、図１ないし図４に示したワッシャ５ａの構造を示す斜視図であり、図５（ａ）と図５（ｂ）とはほぼ反対方向から見た状態を示しており、図５が斜め上方からとすれば、図５（ｂ）は斜め下方からの状態をそれぞれ示している。
【００１７】
これら両図から分るように、ワッシャ５ａは、矩形の平板部５ａ３の中心にバカ穴５ａ４が設けられている。そして、この平板部５ａ３の対向する一対の短辺は、平板部５ａ３に対して直角で互いに平行関係になるように、長めに延ばされて長脚５ａ２を形成しており、また一対の長辺は、平板部に対して直角で互いに平行関係になるように、短かめに延ばされて短脚５ａ１を形成し、全体的にバカ穴５ａ４を中心にした対称形状に構成されている。
【００１８】
この構成により、長脚５ａ２が取付け部材１の長穴１ｃ（図３）に差し込まれ、短脚５ａ１がねじの締め込み力に応じてアース線６の芯線に押圧、接触する（図４参照）。
【００１９】
【考案の効果】
本考案は上述のように、アース線を固定接続するためのアース端子を脚付きの平板型ワッシャを用いて構成したため、アース線が２本以上であっても確実に固定、接続することができる。
【図面の簡単な説明】
【図１】本考案の一実施例のアース線組付け時の構成を示す説明図。
【図２】図１の状態となる直前の状態を示す説明図。
【図３】図２の状態となる直前の状態を示す分解説明図。
【図４】図１の状態におけるアース線の固定状態を示す側断面図。
【図５】図５（ａ），（ｂ）は、ワッシャ５ａの構造を示す斜視図。
【図６】従来のＣＡＴＶ用保安器のアース端子構造を示す斜視図。
【図７】もう一つの従来の構造を示す斜視図。
【符号の説明】
１　取付け部材、１ａ　壁面当接部、１ｂ　ねじ穴、１ｃ　長穴、
１ｄ　突起、２　蓋、３　入力端子、４　出力端子、５　アース端子、
５ａ　ワッシャ、５ａ１　短脚、５ａ２　長脚、５ａ３　平板部、
５ａ　バカ穴、５ｂ　ねじ、６　アース線、１１　取付け部材、
１２　蓋、１３　入力端子、１４　出力端子、１５　アース端子。
【図１】
0003099018.tif 000003
【図２】
0003099018.tif 000004
【図３】
0003099018.tif 000005
【図４】
0003099018.tif 000006
【図５】
0003099018.tif 000007
【図６】
0003099018.tif 000008
【図７】
0003099018.tif 000009